(57)【要約】      （修正有）【課題】解決しようとする課題は、ネジ付き容器において、締め感触に優れ、簡単な構造で応用範囲が広く、しかも安価なネジ構造を有した容器の提供である。【解決手段】ネジ付きの口部を有する容器本体と前記口部に装着するネジ付きキャップとからなる容器において、容器本体に設けたネジ部が該ネジ終端部に近づくにつれて徐々に幅が大きくなり、ネジ終端部のネジ幅の大きさがキャップに設けたネジ谷部の幅と同程度の大きさにすることで、キャップ装着が完了する少し前より閉め抵抗をキャップに与え、その閉め抵抗が徐々に大きくなり、キャップ装着完了時には容器に設けたネジ山部とキャップに設けたネジ谷部の大きさがほぼ同一となるように成型することで、締め感触を向上させることを可能とした。 【選択図】図３
2007308157.tif 000002
【特許請求の範囲】
【請求項１】
ネジ付きの口部を有する容器本体と前記口部に装着するネジ付きキャップとからなる容器において、容器本体に設けたネジ部が該ネジ終端部に近づくにつれて徐々に大きくなり、ネジ終端部の大きさがキャップに設けたネジ谷部の幅と同程度の大きさになることを特徴とするネジ形状。
【請求項２】
前記ネジ形状において、拡大開始位置がネジ終端部からネジ中央部へ９０度回転した部分で、拡大終了位置がネジ終端部からネジ中央部へ１５度回転した部分であることを特徴とする請求項１記載のネジ形状。
【発明の詳細な説明】
【技術分野】
【０００１】
本発明は、化粧品等のネジ付き容器における締め感触を向上させたネジ形状に関する。
【背景技術】
【０００２】
従来、気密性を必要としないフェースパウダー等を収納するネジ付きの口部を有する容器本体と、前記口部に装着するネジ付きキャップとを有する容器は、容器本体にキャップを装着する場合において、キャップを閉め終わる際に容器本体口部がキャップ天面内側にあたる、又は容器本体肩部にキャップ先端部が当る肩あたりというような現象が生じるため、ネジの終了部に縦リブを設けて閉め終わるのを知らせていた。
【０００３】
しかし、ネジの終了部に縦リブを設けると、キャップを容器本体に装着する場合に縦リブ部にネジ終了部が到達した時に急に回転が終了となるため、締め感触が悪いという問題が生じていた。特に化粧品容器において締め感触が悪くなるということは、日々使用する化粧品の使用性が悪いということは、次回のリピート購入にも影響を与える重要な問題である。
【０００４】
そこで、上記のような問題点を解決するため、発泡パッキンを付着させて、徐々にキャップが締まるという感触を付加させる試みも検討されているが、資材点数が増えコストがアップし、低価格製品への使用ができないという問題が依然として残されたままであった。
【０００５】
しかしながら、感触を良くする検討はなされて入るものの安価で適用範囲の広い容器へ応用は未だになされていない。
【特許文献１】特開２０００−１０９１０４号公報
【特許文献１】特開２００６−８１３７号公報
【発明の開示】
【発明が解決しようとする課題】
【０００６】
解決しようとする課題は、ネジ付き容器において、締め感触に優れ、簡単な構造で応用範囲が広く、しかも安価なネジ構造を有した容器の提供である。
【課題を解決するための手段】
【０００７】
上記課題を解決するため、発明者は鋭意研究を重ねた結果、ネジ付きの口部を有する容器本体と前記口部に装着するネジ付きキャップとからなる容器において、容器本体に設けたネジ部がネジ終端部に近づくにつれて徐々に幅が大きくなり、ネジ終端部の大きさがキャップに設けたネジ部谷の幅と同程度の大きさにすることで締め感触が良くなることを見出し、本発明を完成するに至った。
【０００８】
即ち、本発明の化粧料容器は、ネジ付きの口部を有する容器本体と前記口部に装着するネジ付きキャップとからなる容器において、容器本体に設けたネジ部が該ネジ終端部に近づくにつれて徐々に幅が大きくなり、ネジ終端部のネジ幅の大きさがキャップに設けたネジ谷部の幅と同程度の大きさにすることで、キャップ装着が完了する少し前より閉め抵抗をキャップに与え、その閉め抵抗が徐々に大きくなり、キャップ装着完了時には容器に設けたネジ山部とキャップに設けたネジ谷部の大きさがほぼ同一となるため、それ以上キャップの回転が起こらなくなる容器である。
【発明の効果】
【０００９】
本発明の容器は、ネジ付き容器において、締め感触に優れ、簡単な構造で応用範囲が広く、しかも安価なネジ構造を有した容器であるため、低価格化粧料等への応用を可能とした。
【発明を実施するための最良の形態】
【００１０】
以下、本発明の締め感触を向上させたネジ形状について実施の形態を図１〜図８に基づき説明する。図1は、従来のネジ付き容器の正面図。図２は、図１のネジ終端部を拡大した図。図３は、本発明のネジ付き容器の正面図。図４のネジ終端部を拡大した図。図５は、従来のネジ付き容器とキャップを装着した状態のネジ部の断面図。図６は、図５のネジ部断面を拡大した図。図７は、本発明のネジ付き容器とキャップを装着した状態のネジ部の断面図。図８は、図７のネジ部断面を拡大した図である。
【００１１】
本発明の締め感触を向上させたネジ形状を有した容器に用いることができるの材質は、特に制限はなく、ネジ形状の大きさの変化も効果があれば特に制限はなく、容器本体に設けたネジ部が該ネジ終端部に近づくにつれて徐々に大きくなり、ネジ終端部の大きさがキャップに設けたネジ谷部の幅と同程度の大きさであれば良い。また、ネジ終端部のネジ形状自体も効果があれば特に制限はなく、ネジ下部が徐々に大きくなることが好ましい。
【００１２】
また、ネジの形状に関しては、本発明の効果を損なわない範囲で制限はないが、ネジ幅の大きさの変化は、ネジ終端部より９０度程上部に回転した位置より徐々に大きくなり、ネジ終端部のネジ幅がキャップのネジ幅と同程度になる状態が好ましい。この場合、容器ネジ部のネジ幅の拡大ピッチは１．３／１．７程度が好ましい。そして、ネジの条数も特に制限はなく、１条でも多条でもかまわない。
【実施例】
【００１３】
本発明の締め感触を向上させたネジ形状を有した容器について図を用いて詳しく説明する。
【００１４】
本発明の締め感触を向上させたネジ形状を有した容器のネジ形状は、図３及び図４に示すとおり、ネジ幅が、ネジ開始部に比べネジ終端部特にネジの下部が大きくなっている。そして、当該ネジ部のネジ幅の変化はネジ終端部に近づくに従って徐々に大きくなっている。このことは、従来のネジ形状を表した図１及び図２と比較しても明らかである。
【００１５】
そして、本発明の締め感触を向上させたネジ形状を有した容器にキャップを装着させると、閉め始めは従来のネジ付き容器と同様に抵抗無く、締め感触も違和感無く閉められ、閉め終わりに近づくに連れて次第に閉め抵抗が徐々に大きくなりながら終点を迎えるため、急激に回転が止まる様な違和感が生じることなく装着が可能となる。従って、悪い締め感触を生じることなくキャップを閉めることが可能となる。また、キャップを開ける時も閉めるときと同様に徐々に開け抵抗が低くなるため、スムーズに開けられる感触を得ることが可能となる。
【００１６】
つまり、本発明の締め感触を向上させたネジ形状を有した容器にキャップを装着させる場合、図７及び図８に示すように、容器本体のネジ山部２１とキャップのネジ谷部３２の幅がほぼ同一となり装着が終了する。そして、図４に示すように、容器本体のネジ部２の終端部２ｂが、該ネジ終端部より９０度上部の位置よりネジ終端部に向かい開始部のネジ幅１.３ミリメートルであったのがネジ終端部のネジ幅１.７ミリメートルにまで徐々に下部ネジ幅が大きくなるように成型されているため、容器本体ネジ山部２１の下部とキャップネジ谷部３１との接触抵抗が徐々に大きくなるため、キャップを閉める感触が徐々に重くなって閉め終わりを迎えるため、締め感触がスムーズに感じられる。
【００１７】
本発明の締め感触を向上させたネジ形状を有した容器は、容易に成型可能なネジ形状とすることで、キャップ内側天面に発泡性のパッキンを装着する等、部品点数を増やすことなく上記の如く締め感触を向上さすことが得られるため、製品のコスト上昇を抑えられるために、低価格製品への応用も期待できる。
【産業上の利用可能性】
【００１８】
本発明の締め感触を向上させたネジ形状を有した容器は、ネジ付き容器において、締め感触に優れ、簡単な構造で応用範囲が広く、しかも安価なネジ構造を有した容器であるため、低価格化粧料等への広く応用が期待できる。
【図面の簡単な説明】
【００１９】
【図１】図1は、従来のネジ付き容器の正面図。
【００２０】
【図２】図２は、図１のＡ部を拡大した図。
【００２１】
【図３】図３は、本発明のネジ付き容器の正面図。
【００２２】
【図４】図４は、図３のＢ部を拡大した図。
【００２３】
【図５】図５は、従来のネジ付き容器とキャップを装着した状態のネジ部の断面図。
【００２４】
【図６】図６は、図５のネジ部断面を拡大した図。
【００２５】
【図７】図７は、本発明のネジ付き容器とキャップを装着した状態のネジ部の断面図。
【００２６】
【図８】図８は、図７のネジ部断面を拡大した図である。
【符号の説明】
【００２７】
１          容器本体
２          ネジ部
２ａ        ネジ開始部
２ｂ        ネジ終端部
２１        ネジ山部
２２        ネジ谷部
３          キャップ
３１        ネジ山部
３２        ネジ谷部
【図２】
2007308157.tif 000003
【図４】
2007308157.tif 000004
【図５】
2007308157.tif 000005
【図６】
2007308157.tif 000006
【図７】
2007308157.tif 000007
【図８】
2007308157.tif 000008
【図１】
2007308157.tif 000009
【図３】
2007308157.tif 000010